(57)【要約】【課題】画像の書込許可情報を有する表示装置、および、該書込許可情報に基づいて該画像の書き込みを制御する書込装置を提供する。【解決手段】表示媒体１０２の画像の書き込みが指示されたことが判断されると、メモリ１０４に記録されている書込許可情報を読み込む（ステップ３０２、３０４）。書込許可情報が表示媒体１０２の画像の書き込みの許可を示す情報であることが判断されると、コントローラ２１６は表示媒体１０２へ画像を書き込む（ステップ３０６、３０８）。一方、書込許可情報が書き込みの不許可を示す情報であることが判断された場合には、ディスプレイ２１４に所定の表示を行うことにより、書き込みが許可されていないことをユーザに報知する（ステップ３１４）。【選択図】        図１
2004288051.tif 000002
【特許請求の範囲】
【請求項１】
画像を表示する表示媒体と、
前記表示媒体への画像の書込許可情報を記録する記録部と、
を有する表示装置。
【請求項２】
前記表示媒体は、メモリ性表示媒体である請求項１に記載の表示装置。
【請求項３】
請求項１または２に記載の表示装置の前記記録部に記録されている前記書込許可情報にアクセスするアクセス手段と、
前記表示媒体へ画像を書き込む書込手段と、
前記書込許可情報が前記画像の書き込みの許可を示す情報である場合には、該画像の書き込みを行うように前記書込手段を制御する制御手段と、
を有する書込装置。
【請求項４】
前記制御手段は、前記表示媒体に新たに画像が表示されるように前記書込手段の制御を行う際に、該画像に対応する前記書込許可情報を記録するように前記アクセス手段を制御する、
請求項３に記載の書込装置。
【請求項５】
指示手段をさらに有し、
前記制御手段は、前記指示手段により指示された前記書込許可情報を前記記録部に記録するように前記アクセス手段を制御する、
請求項３または４に記載の書込装置。
【請求項６】
前記書込許可情報が前記画像の書き込みを許可する情報でない場合に、該画像の書き込みの可否を確認する書込確認手段をさらに有し、
前記制御手段は、前記書込確認手段により前記画像の書き込みの許可が確認された場合に、前記表示媒体に新たに画像が表示されるように前記書込手段を制御する、
請求項３〜５の何れか一項に記載の書込装置。
【発明の詳細な説明】
【０００１】
【発明の属する技術分野】
本発明は、表示装置および書込装置に係り、詳細には、画像を表示する表示装置、および、該表示装置へ画像を書き込む書込装置に関する。
【０００２】
【従来の技術】
物流における荷札、販売流通における会員カードやクレジットカード、事業所における文書および掲示板、などの用途に、不揮発かつ書き替え可能に画像を表示する表示媒体が使用されるようになってきた。このような表示媒体としては、例えば、ロイコ染料の加熱・冷却によって発消色させる方式、ベヘン酸などの有機低分子を加熱／冷却によって結晶化／非結晶化させる方式、液体に分散した磁性粒子の磁気泳動を利用する方式、液体中に分散した帯電粒子の電気泳動を利用する方式、液晶の熱や電界による配向変化を利用する方式、などによる表示媒体がある（例えば、特許文献１〜５参照）。
【０００３】
また、上記表示媒体と、不揮発かつ書き替え可能にデジタル情報を記録するＩＣチップ、または、磁気印刷領域などの記録部と、を組み合わせて利用する表示装置も提案されている（例えば、特許文献６参照）。このような表示装置は、例えば、レンタル・ビデオやガソリン・スタンドなどの会員カードとしてよく知られている。すなわち、表示媒体には視認可能に支払金額に応じて変更されるポイントなどが表示され、記録部には店舗に設置された機械などにより迅速かつ正確に読込可能にポイントなどが記録される。
【０００４】
上記のような表示装置の画像は、次回ユーザが来店時に該店舗で表示装置を使用するまで継続表示されることが一般的であり、例えば、従来の紙媒体の代替としてオフィス文書などの用途に使用する場合のように、複数のユーザにより画像の消去または書き替えが度々行われる場合の書き込みの制御について考慮されていなかった。このような表示装置をオフィス文書の用途に使用することは、紙媒体などの資源節約および排紙削減による環境問題の改善に有用である。
【０００５】
【特許文献１】
特開平７−６８９４５号公報
【特許文献２】
特開平８−３２４１６４号公報
【特許文献３】
特開平７−１４６６６０号公報
【特許文献４】
特開平８−１９７８５３号公報
【特許文献５】
特開平７−８４２３１号公報
【特許文献６】
特開平７−３２５８９９号公報
【０００６】
【発明が解決しようとする課題】
しかしながら、オフィス文書としての用途に不揮発かつ書き替え可能に画像を表示する表示装置を使用する場合、該画像の書き込みを常に禁止してしまうと該表示装置を紙媒体の代替として有効に活用することができず、該画像の書き込みを常に可能にしておくと、技術情報、契約情報、価格情報、人事情報など重要な情報が失われてしまう場合がある。
【０００７】
本発明は、上記事実に鑑みなされたもので、画像の書込許可情報を有する表示装置、および、該書込許可情報に基づいて該画像の書き込みを制御する書込装置を提供することを目的とする。
【０００８】
【課題を解決するための手段】
上記目的を達成するために、請求項１に記載の表示装置は、画像を表示する表示媒体と、前記表示媒体への画像の書込許可情報を記録する記録部と、を有する。
【０００９】
すなわち、画像を表示し、記録部が前記表示媒体へ前記画像の書込許可情報を記録するようにしているので、本表示装置の画像の書き込みは該書込許可情報に基づいて制御されることができる。
【００１０】
請求項２に記載されるように、請求項１の表示装置の表示媒体は、メモリ性表示媒体である。該メモリ性表示媒体は不揮発であり、かつ、画像の書き替えが可能な表示媒体である。
【００１１】
請求項３に記載の書込装置は、請求項１または２に記載の表示装置の前記記録部に記録されている前記書込許可情報にアクセスするアクセス手段と、前記表示媒体へ前記画像を書き込む書込手段と、前記書込許可情報が前記画像の書き込みの許可を示す情報である場合には、該画像の書き込みを行うように前記書込手段を制御する制御手段と、を有する。
【００１２】
すなわち、アクセス手段が請求項１に記載の表示装置の前記記録部に記録されている前記書込許可情報にアクセスし、前記書込許可情報が前記画像の書き込みの許可を示す情報である場合には、制御手段が該画像の書き込みを行うように前記書込手段を制御するようにしているので、表示装置の画像の書き込みを書込許可情報に基づいて制御することができる。
【００１３】
請求項４に記載されるように、請求項３に記載の書込装置の制御手段は、前記表示媒体に新たに画像が表示されるように前記書込手段の制御を行う際に、該画像に対応する前記書込許可情報を記録するように前記アクセス手段を制御してもよい。
【００１４】
請求項５に記載されるように、請求項３または４に記載の書込装置は、指示手段をさらに有し、前記制御手段は、前記指示手段により指示された前記書込許可情報を前記記録部に記録するように前記アクセス手段を制御してもよい。
【００１５】
請求項６に記載されるように、請求項３〜５に記載の書込装置は、前記書込許可情報が前記画像の書き込みを許可する情報でない場合に、該画像の書き込みの可否を確認する書込確認手段をさらに有し、前記制御手段は、前記書込確認手段により前記画像の書き込みの許可が確認された場合に、前記表示媒体に新たに画像が表示されるように前記書込手段を制御してもよい。
【００１６】
【発明の実施の形態】
以下、本発明の実施の形態を図面を参照して説明する。
【００１７】
図１に示すように、本実施の形態にかかる表示装置１０は、画像を表示する表示媒体１０２と、書込許可情報を記録する記録部としてのメモリ１０４と、外部機器との接続を中継するインターフェース１０８と、これらの表示媒体１０２、メモリ１０４、インターフェース１０８を制御するコントローラ１０６と、を有している。
【００１８】
ここで、メモリ１０４に記録される書込許可情報とは、表示媒体１０２に表示される画像の書き込みを許可するか否かを示す情報である。例えば、書込許可情報が１ビットであるならば、書き込みが許可される場合には「１」、許可されない場合には「０」が記録されていてもよい。また、書き込みが許可される場合には「ＢＬＡＮＫ」、許可されない場合には画像の詳細情報（例えば、更新年月日、重要度、識別番号など）が記録されていてもよい。しかしながら、本発明はこれらに限定されるものではない。
【００１９】
一方、書込装置２０は、ユーザが指示情報などを入力するためのスイッチ群２１２、ユーザに状態情報などを報知するためのディスプレイ２１４、外部機器との接続を中継するインターフェース２０８と、これらのスイッチ群２１２、ディスプレイ２１４、インターフェース２０８を制御するコントローラ２１６と、を有している。コントローラ２１６はアクセス手段、書込手段、制御手段を、スイッチ群２１２は指示手段を、コントローラ２１６、スイッチ群２１２およびディスプレイ２１４は書込確認手段を構成する。
【００２０】
次に、図２を参照して、本実施の形態の作用を説明する。
【００２１】
表示装置１０のインターフェース１０８と、書込装置２０のインターフェース２０８とが、有線または無線の手段により接続されたことが、書込装置２０のコントローラ２１６により認識されることにより、図２の処理が開始される。表示装置１０のインターフェース１０８と、書込装置２０のインターフェース２０８との接続は、シリアル接続であってもパラレル接続であってもよい。ステップ３０２で、スイッチ群２１２を介して表示媒体１０２の画像の書き込みが指示されるまで待機する。ステップ３０２で、表示媒体１０２の画像の書き込みが指示されたことが判断されると、ステップ３０４で、メモリ１０４にアクセスし、該メモリ１０４に記録されている書込許可情報を読み込む。
【００２２】
ステップ３０６で、書込許可情報が表示媒体１０２の画像の書き込みを許可していることが判断されると、ステップ３０８でコントローラ２１６は表示媒体１０２へ画像を書き込む。表示媒体１０２が光書込型以外の表示媒体である場合には、画像はインターフェース２０８を介して外部機器より予めコントローラ２１６に記録されている。光書込型表示媒体である場合については後述する。
【００２３】
次にステップ３１０で、書き込まれた画像に関連する書込許可情報がスイッチ群２１２から入力されるまで待機する。ステップ３１０で、書込許可情報が入力されたことが判断されると、ステップ３１２で、コントローラ２１６はメモリ１０４にアクセスし、入力された書込許可情報をメモリ１０４に記録して処理は終了する。なお、画像に関連する書込許可情報は、予め、該画像とともにコントローラ２１６に記録されていてもよい。
【００２４】
一方、ステップ３０６で、書込許可情報が書き込みを許可しないことが判断された場合には、ステップ３１４で、ディスプレイ２１４に所定の表示を行うことにより、書き込みが許可されていないことをユーザに報知する。ステップ３１６で、スイッチ群２１２によりユーザが書込指示を入力したことが判断されると、ステップ３０８〜３１２の処理が行われる。ステップ３１６で、スイッチ群２１２によりユーザが書込指示をキャンセルしたことが判断されると、処理は終了する。
【００２５】
このように、表示媒体１０２は画像を表示し、メモリ１０４が表示媒体１０２への画像の書込許可情報を記録するようにしている。すなわち、表示媒体が画像を表示し、記録部が表示媒体への該画像の書込許可情報を記録するようにしているので、本表示装置への画像の書き込みは該書込許可情報に基づいて制御されることができる。表示媒体は、不揮発かつ書き替え可能なメモリ性表示媒体であってよい。
【００２６】
また、コントローラ２１６が表示装置１０のメモリ１０４に記録されている書込許可情報にアクセスし、書込許可情報が画像の書き込みの許可を示す情報である場合には、画像の書き込みを行うように制御するようにしている。すなわち、アクセス手段が表示装置の記録部に記録されている書込許可情報にアクセスし、書込許可情報が画像の書き込みの許可を示す情報である場合には、制御手段が該画像の書き込みを行うように書込手段を制御するようにしているので、表示装置の画像の書き込みを書込許可情報に基づいて制御することができる。
【００２７】
コントローラ２１６は、表示媒体１０２に新たに画像が表示されるように制御を行う際に、スイッチ群２１２により指示された書込許可情報をメモリ１０４に記録するように制御する、すなわち、制御手段は、表示媒体に新たに画像が表示されるように書込手段の制御を行う際に、指示手段により指示された書込許可情報を記録部に記録するようにアクセス手段を制御する。
【００２８】
ここでは、例えば、書き込みの許可を示す書込許可情報は画像の詳細情報であり、書き込みの不許可を示す書込許可情報は「ＢＬＡＮＫ」であってよいし、反対に、書き込みの許可を示す書込許可情報は「ＢＬＡＮＫ」であり、書き込みの不許可を示す書込許可情報は画像の詳細情報であってよい。また、例えば、書込許可情報に更新年月日および期間を含めてもよい。これによれば、該書込許可情報は更新年月日から該期間を経過するまでは書き込みの不許可を示す情報であり、更新年月日から該期間を経過した後は書き込みの許可を示す情報となる。同様に、書込許可情報は書込許可年月日を含んでもよく、この場合、該書込許可年月日前は該書込許可情報は書き込みの不許可を示す情報であり、該書込許可年月日後は書込の許可を示す情報となる。
【００２９】
ステップ３０２における表示媒体１０２の画像の書込指示が、スイッチ群２１２に含まれる消去ボタンの押下による画像の消去指示であり、かつ、ステップ３０６またはステップ３１６における判断により、ステップ３０８で画像を消去する場合、ステップ３１０を省略し、ステップ３１２で書込許可情報として、書き込みの許可を示す情報をメモリ１０４にセットするようにしてもよい。画像が消去されている場合、オーバーライトをすることにより重要な情報が失われることがないからである。画像を消去した場合、表示媒体１０２には一面黒または白が表示されてもよいし、予め設定されたロゴマークなどが表示されてもよい。
【００３０】
このように、コントローラ２１６は、表示媒体１０２に新たに画像が表示されるように制御を行う際に、該画像に対応する書込許可情報を記録するように制御する。すなわち、制御手段は、表示媒体に新たに画像が表示されるように書込手段の制御を行う際に、該画像に対応する書込許可情報を記録するようにアクセス手段を制御する。
【００３１】
なお、本発明は、書き込みが許可されていないことをユーザに報知するために、ディスプレイ２１４に所定の表示を行うことに限定されず、例えば、スピーカなどにより所定のサウンドを発生するようにしてもよいし、ＬＥＤなどを点滅させるようにしてもよい。また、スイッチ群２１２は書込装置２０に備えられたハード・スイッチであってもよいし、ディスプレイ２１４に表示されるソフト・スイッチであってもよい。
【００３２】
以下に、表示装置１０における表示媒体１０２とメモリ１０４すなわち記録部との配置例を示す。図３に示されるように、本発明の表示装置１０の第１の配置例では、表示媒体１０２とメモリ１０４とが基板１０３の同一平面上に配置されることができる。図３においては、メモリ１０４が表示媒体１０２の左下に配置された例が示されているが、本発明はこれに限定されるものではない。
【００３３】
図４に示されるように、本発明の表示装置１０の第２の配置例では、メモリ１０４が、表示媒体１０２が配置されている基板１０３の面と異なる面に配置される。図４では、メモリ１０４が表示媒体１０２の配置されている面の裏面に配置されているが、本発明はこれに限定されない。
【００３４】
図５に示されるように、本発明の表示装置１０の第３の配置例では、表示媒体１０２の一部がメモリ１０４として使用されることができる。図５においては、表示媒体１０２の左下部をメモリ１０４として使用する例が示されているが、本発明はこれに限定されるものではない。
【００３５】
図６に示されるように、本発明の表示装置１０の第４の配置例では、表示媒体１０２と基板１０３との間にメモリ１０４が配置されることができる。図６においては、表示媒体１０２の右下部にメモリ１０４を配置する例が示されているが、本発明はこれに限定されるものではない。
【００３６】
ここで、メモリ１０４すなわち記録部は、図７に示されるように、接触式または非接触式ＩＣチップであってよい。非接触式のＩＣチップは書込許可情報を記録するメモリ回路、整流回路、信号分離回路、アンテナ・コイルを有する。書込許可情報にアクセスするアクセス手段は、信号を載せた電磁波をアンテナ・コイルへ送信する。アンテナ・コイルに誘起される電力を整流してメモリ回路と信号分離回路の電源として用い、信号分離回路で信号を分離し、これをデコードしてメモリ回路の書込許可情報にアクセスする。
【００３７】
メモリ１０４すなわち記録部は、磁気印刷被記録媒体であってもよい。図８に示されるように、書込許可情報が予め規定された英数字、記号などの組み合わせにより示される場合、書込許可情報はＯＣＲにより読み込まれることができる。図９に示されるように、書込許可情報がバーコードで示される場合、書込許可情報はバーコード・リーダにより読み込まれることができる。
【００３８】
さらに、メモリ１０４すなわち記録部は、ＥＥＰＲＯＭなどの不揮発性半導体メモリや強誘電体メモリ、磁気印刷などにより情報を記録する磁気メモリ、光磁気メモリ、相変化光メモリ、バッテリ・バックアップされたＤＲＡＭなどであってよい。これらに記録された情報へのアクセス手段としては、磁気ヘッド、光ヘッド、端子接続、無線接続など公知の方法が利用できる。
【００３９】
本発明において、記録部は単一種類のメモリにより構成されるものに限定されず、例えば、ＩＣチップと磁気印刷被記録媒体とにより構成されてもよい。この場合、例えば、アクセス手段はＩＣチップに記録されている書込許可情報を読込み、ユーザは磁気印刷被記録媒体に文字または記号などにより記録されている書込許可情報を目視により読み取ることができる。これにより、処理が迅速になされるとともに利便性が向上する。
【００４０】
本発明の表示媒体１０２は、図１０に示されるように、直交する２つの短冊状電極群の交差部を画素とした単純マトリックス・パネルであってよい。単純マトリックス・パネルでは、縦方向および横方向の短冊状電極群は各々行駆動回路５０２と列駆動回路５０４とに接続されている。短冊状電極群、行駆動回路５０２、列駆動回路５０４は書込手段を構成し、行駆動回路５０２と列駆動回路５０４とはコントローラ１０６により制御される。
【００４１】
本発明の表示媒体１０２は、図１１に示されるように感熱記録可能なメモリ性表示媒体であってもよい。この場合、書込装置２０は表示装置１０を搬送するローラ対５１２、５１４と、書込手段としてのサーマル・ヘッド２０６と、書込許可情報を読み込むヘッド２０２と、書込許可情報を書き込むヘッド２０４とを備える。ヘッド２０２、２０４はアクセス手段を構成する。メモリ１０４が磁気印刷被記録媒体である場合、ヘッド２０２、２０４は磁気ヘッドである。
【００４２】
本発明の表示媒体１０２は、図１２に示されるように光書込型表示媒体であってもよい。光書込型表示媒体は電圧または電流によって光学的変化を示す表示層５２６と、光照射によって電気抵抗が変化する光導電層５２８と、これらを挟持する基板５２２ｕ、５２２ｄと、該基板５２２に設けられた電極対５２４と、を有する。
【００４３】
この場合、書込装置２０は、表示媒体１０２に書き込む画像を照射するための光像照射回路５３４と、表示媒体１０２に電圧を印可するための電圧発生回路５３６と、メモリ１０４の書込許可情報にアクセスするアクセス回路５３２と、を有する。ここで、光像照射回路５３４および電圧発生回路５３６は書込手段を、アクセス回路５３２はアクセス手段を構成する。
【００４４】
光書込型表示媒体への画像書込は、（１）光像照射回路５３４によって画像を光導電層５２８へ投射・照射する、（２）電圧印加回路５３６より電圧パルスを電極対５２４間に印可する、ことによりなされる。投射・照射される光量の強弱に応じて光導電層５２８の電気抵抗が変化し、これにより表示層５２６への分圧が変化するため、光書込型表示媒体に画像が書き込まれる。
【００４５】
電極対５２４としてはＡｕなどの金属薄膜、ＩＴＯ（Ｉｎｄｉｕｍ  Ｔｉｎ  Ｏｘｉｄｅ）、ＳｎＯ２、ＺｎＯなど酸化物導電体、ポリピロールなどの導電性高分子などの透光性の導電体を用いる。表示層５２６には、（ａ）メモリ性液晶：例えば、２色性色素を添加したスメクチック液晶や、可視波長に選択反射を有するコレステリック液晶、強誘電性液晶、双安定性ネマチック液晶、メモリ性を有する高分子分散液晶など、（ｂ）絶縁液体中に分散した着色帯電粒子を分散した液体、（ｃ）帯電微粒子粉体、（ｄ）導電性高分子や酸化物などのエレクトロクロミック材料、（ｅ）電気化学反応によって析出／溶解する金属塩溶液などを利用することができる。
【００４６】
光伝導層５２８としては、（ａ）無機半導体材料；アモルファス・シリコンや、ＺｎＳｅ，ＣｄＳなどの化合物半導体、（ｂ）有機半導体材料；アントラセン、ポリビニルカルバゾールなど、（ｃ）光照射によって電荷を発生する電荷発生材料と、電界によって電荷移動を生ずる電荷輸送材料との複合体；電荷発生材料としては、例えば、ペリレン系、フタロシアニン系、ビスアゾ系、ジチオピトケロピロール系、スクワリリウム系、アズレニウム系、チアピリリウム・ポリカーボネート系化合物など、電荷輸送材料としては、例えば、トリニトロフルオレン系、ポリビニルカルバゾール系、オキサジアゾール系、ピラリゾン系、ヒドラゾン系、スチルベン系、トリフェニルアミン系、トリフェニルメタン系、ジアミン系化合物や、ＬｉＣｌＯ４を添加したポリビニルアルコールやポリエチレンオキシドのようなイオン導電性材料など、（ｄ）複合形態；積層体、混合物、マイクロカプセルなど、が利用できる。
【００４７】
さらに、本発明の表示媒体１０２としては、ロイコ染料を加熱・冷却によって発消色する方式、ベヘン酸などの有機低分子を加熱／冷却によって結晶化／非結晶化する方式、液体中に分散した磁性粒子の磁気泳動を利用する方式、液体中に分散した帯電粒子の電気泳動を利用する方式、液晶の熱や電界による配向変化を利用する方式、導電性高分子や酸化物の酸化還元反応による発消色を用いる方式、金属の酸化還元反応による析出／溶解を用いる方式など、公知のメモリ性表示方式が利用できる。
【００４８】
書込手段は、表示媒体１０２が、例えば、熱書込型である場合にはサーマル・ヘッド、レーザ走査ヘッド、磁気書込型である場合には磁気ヘッド、光書込型である場合にはレーザ走査ヘッド、ＬＥＤヘッド、ＥＬヘッド、液晶シャッター・ヘッド、電気書込型である場合には静電ヘッド、イオン・フロー・ヘッドなどであってよい。
【００４９】
電気書込型の場合、表示材料を一対の電極間に挟持して電圧を印可して書込を行うことも可能である。例えば、上記したように、直交する２つの短冊状電極群の交差部を画素とした単純マトリックスパネルを用いたり、表示面を独立した小画素に分割し、個々の小画素に薄膜トランジスタ、薄膜ダイオード、ＭＩＭ（Ｍｅｔａｌ−Ｉｎｓｕｌａｔｏｒ−Ｍｅｔａｌ）素子などの能動素子を接続したアクティブ・マトリックス・パネルを用いることもできる。
【００５０】
【発明の効果】
以上説明したように、本発明の表示装置の表示媒体が画像を表示し、記録部が前記表示媒体への画像の書込許可情報を記録するようにしているので、本表示装置への画像の書き込みは該書込許可情報に基づいて制御されることができる。
【図面の簡単な説明】
【図１】本発明の実施の形態における表示装置および書込装置の構成図を示す。
【図２】本発明の実施の形態の作用を示すフローチャートである。
【図３】本発明の表示媒体とメモリとの配置を示す図である。
【図４】本発明の表示媒体とメモリとの配置を示す図である。
【図５】本発明の表示媒体とメモリとの配置を示す図である。
【図６】本発明の表示媒体とメモリとの配置を示す図である。
【図７】本発明のメモリの種類を示す図である。
【図８】本発明のメモリの種類を示す図である。
【図９】本発明のメモリの種類を示す図である。
【図１０】本発明の表示媒体の種類を示す図である。
【図１１】本発明の表示媒体の種類を示す図である。
【図１２】本発明の表示媒体の種類を示す図である。
【符号の説明】
１０          表示装置
１０２        表示媒体
１０４        メモリ
２０          書込装置
２１２        スイッチ群
２１４        ディスプレイ
２１６        コントローラ
【図１】
2004288051.tif 000003
【図２】
2004288051.tif 000004
【図３】
2004288051.tif 000005
【図４】
2004288051.tif 000006
【図５】
2004288051.tif 000007
【図６】
2004288051.tif 000008
【図７】
2004288051.tif 000009
【図８】
2004288051.tif 000010
【図９】
2004288051.tif 000011
【図１０】
2004288051.tif 000012
【図１１】
2004288051.tif 000013
【図１２】
2004288051.tif 000014